(57)【要約】【課題】本発明の課題は、ネットワークを介して接続された複数の画像形成装置のリモート操作を行うリモート操作システムにおいて、複数台の画像形成装置に係る情報を適切に表示させてシステム全体の管理効率を向上させることである。【解決手段】通信ネットワークを介して接続される複数の複写機２をリモート操作するリモート操作システム１００において、リモート操作装置１は、予め登録された複写機２に対応する複数の操作画面を表示部１３に同時に表示させ、各操作画面において入力された複写機２に対する操作情報を、入力された操作画面に応じて対応する複写機２に送信することにより、複数の複写機２に対するリモート操作を行う。【選択図】        図１
2005018607.tif 000002
【特許請求の範囲】
【請求項１】
通信ネットワークを介して接続される複数の画像形成装置を操作するリモート操作装置であって、
前記複数の画像形成装置と通信ネットワークを介して通信する通信部と、
前記画像形成装置を操作する操作画面を画像形成装置毎に複数表示する表示部と、
前記表示部に表示された複数の操作画面を介して画像形成装置毎に入力される操作情報を受け付ける入力部と、
前記操作画面を介して入力された操作情報を、前記通信部を制御して、対応する画像形成装置に送信させる制御手段と、を備えることを特徴とするリモート操作装置。
【請求項２】
通信ネットワークを介して接続される複数の画像形成装置を操作するリモート操作装置であって、
前記複数の画像形成装置と通信ネットワークを介して通信する通信部と、
前記画像形成装置を操作する操作画面を画像形成装置毎に表示する表示部と、
前記表示部に表示された操作画面を介して入力される操作情報及び操作指示の入力を受け付ける入力部と、
前記入力部を介して入力される操作指示又は前記通信部を介して受信される画像形成装置の状態情報に基づいて、複数の画像形成装置のうち少なくとも一の画像形成装置の操作画面を優先的に前記表示部に表示させ、当該操作画面を介して入力された操作情報を、前記通信部を制御して、対応する画像形成装置に送信させる制御手段と、を備えることを特徴とするリモート操作装置。
【請求項３】
所定の時間帯に対応する画像形成装置を定義する優先設定情報を記憶する一次記憶手段を備え、
前記制御手段は、優先設定情報に応じて、指定された時間帯に対応する画像形成装置の操作画面を優先的に前記表示部に表示させることを特徴とする請求項２記載のリモート操作装置。
【請求項４】
画像形成装置に発生する異常の種類を定義する優先設定情報を記憶する一時記憶手段を備え、
前記通信部は、画像形成装置に発生した異常に関する状態情報を受信し、
前記制御手段は、前記状態情報に基づいて画像形成装置に発生した異常と、前記優先設定情報に定義されている異常の種類とを比較し、画像形成装置に発生した異常が優先設定情報に定義されている異常と同一である場合、異常の発生した画像形成装置の操作画面を優先的に前記表示部に表示させることを特徴とする請求項２記載のリモート操作装置。
【請求項５】
画像形成装置のアイドル状態の時間を定義する優先設定情報を記憶する一時記憶手段を備え、
前記通信部は、画像形成装置のアイドル状態に関する状態情報を受信し、
前記制御手段は、前記状態情報に基づいて、前記優先設定情報に定義されているアイドル状態の時間を超えてアイドル状態にある画像形成装置の操作画面を優先的に前記表示部に表示させることを特徴とする請求項２記載のリモート操作装置。
【請求項６】
所定の時間幅を定義する優先設定情報を記憶する一時記憶手段を備え、
前記制御手段は、前記優先設定情報に定義される所定の時間幅毎に、前記優先的に表示される操作画面を切り替えて表示させることを特徴とする請求項２記載のリモート操作装置。
【請求項７】
前記優先設定情報は、複数の画像形成装置の優先順位を定義する情報を含み、
前記制御手段は、前記所定の時間毎に、前記優先的に表示される操作画面を、当該優先順位に従って、切り替えて表示することを特徴とする請求項６記載のリモート操作装置。
【請求項８】
前記通信部は、画像形成装置の使用状況に関する状態情報を受信し、
前記制御手段は、前記状態情報に基づいて、複数の画像形成装置のうち使用頻度の高い画像形成装置又は使用頻度の低い画像形成装置の操作画面を優先的に表示部に表示させることを特徴とする請求項２記載のリモート操作装置。
【請求項９】
前記制御手段は、前記優先的に操作画面が表示された画像形成装置以外の他の画像形成装置に対応するアイコンを表示部に表示させ、前記アイコンの操作指示が入力された場合、当該アイコンに対応する画像形成装置の操作画面を優先的に表示部に表示させることを特徴とする請求項２から７のいずれか一項に記載のリモート操作装置。
【請求項１０】
請求項１から９のいずれか一項に記載のリモート操作装置と、
前記リモート装置に前記通信ネットワークを介してリモート操作される前記複数の画像形成装置とを備えることを特徴とするリモート操作システム。
【発明の詳細な説明】
【０００１】
【発明の属する技術分野】
本発明は、通信ネットワークを介して接続される複数の画像形成装置をリモート操作するリモート操作装置及びリモート操作システムに関するものである。
【０００２】
【従来の技術】
近時、オフィスなどのネットワーク化に伴い、複数台の画像形成装置と、その画像形成装置をリモート操作するパーソナルコンピュータをネットワーク接続し、そのパーソナルコンピュータの操作入力により、画像形成装置それぞれをリモート操作する技術が知られている。
【０００３】
例えば、伝送路を介してデジタル複写機に接続されるリモート操作装置において、デジタル複写機から入力される設定情報に従って、デジタル複写機のディスプレイと略同一の操作画面の表示部に表示し、この表示部の操作画面で操作がなされると、動作命令や表示変化内容をデジタル複写機に送出する。一方、デジタル複写機では、リモート操作装置から入力された動作命令に従って動作を行い、表示変化内容に従ってディプレイの表示をリアルタイムに更新することにより、デジタル複写機をリモート操作するリモート操作システムが知られている（例えば、特許文献１参照）。
【０００４】
【特許文献１】
特開２００２−２８１１９５号公報
【０００５】
【発明が解決しようとする課題】
しかしながら、上述した従来のリモート操作システム（例えば、特許文献１）においては、リモート操作装置の表示部に表示可能なデジタル複写機の操作画面や情報は、デジタル複写機一台分の情報であり、複数のデジタル複写機が伝送路に接続されている場合、ユーザが所望するデジタル複写機を個々に選択して情報を表示させる必要があった。したがって、多くのデジタル複写機が伝送路に接続された場合、どのデジタル複写機に関する情報を表示部に表示させるべきかの選択が困難であり、適切にデジタル複写機の情報を表示することができないという問題があった。
【０００６】
本発明の課題は、ネットワークを介して接続された複数の画像形成装置のリモート操作を行うリモート操作システムにおいて、複数台の画像形成装置に係る情報を適切に表示させてシステム全体の管理効率を向上させることを可能とするリモート操作装置及びリモート操作システムを提供することである。
【０００７】
【課題を解決するための手段】
上記課題を解決するために、請求項１記載の発明は、
通信ネットワークを介して接続される複数の画像形成装置を操作するリモート操作装置であって、
前記複数の画像形成装置と通信ネットワークを介して通信する通信部と、
前記画像形成装置を操作する操作画面を画像形成装置毎に複数表示する表示部と、
前記表示部に表示された複数の操作画面を介して画像形成装置毎に入力される操作情報を受け付ける入力部と、
前記操作画面を介して入力された操作情報を、前記通信部を制御して、対応する画像形成装置に送信させる制御手段と、を備えることを特徴としている。
【０００８】
請求項１記載の発明によれば、通信ネットワークを介して接続される複数の画像形成装置を同一の画面においてリモート操作することができ、複数の画像形成装置毎に、操作画面を切り替える手間を必要とせずに、効率良く画像形成装置を管理することができる。
【０００９】
請求項２記載の発明は、
通信ネットワークを介して接続される複数の画像形成装置を操作するリモート操作装置であって、
前記複数の画像形成装置と通信ネットワークを介して通信する通信部と、
前記画像形成装置を操作する操作画面を画像形成装置毎に表示する表示部と、
前記表示部に表示された操作画面を介して入力される操作情報及び操作指示の入力を受け付ける入力部と、
前記入力部を介して入力される操作指示又は前記通信部を介して受信される画像形成装置の状態情報に基づいて、複数の画像形成装置のうち少なくとも一の画像形成装置の操作画面を優先的に前記表示部に表示させ、当該操作画面を介して入力された操作情報を、前記通信部を制御して、対応する画像形成装置に送信させる制御手段と、を備えることを特徴としている。
【００１０】
請求項２記載の発明によれば、通信ネットワークを介して接続される複数の画像形成装置のリモート操作を行う場合、ユーザにより入力される操作指示又は画像形成装置の状態情報に基づいて、画像形成装置の操作画面を優先的に表示部に表示させることができるため、操作が必要となる画像形成装置を的確に認識することができる。また、優先的に表示された操作画面において、必要な操作情報を速やかに入力して、画像形成装置をリモート操作することができる。
【００１１】
なお、操作画面を優先的に表示するとは、例えば、対応する操作画面を拡大して表示する、色を変えて表示する、最前面に表示することにより、他の操作画面と識別可能にして表示させることである。
【００１２】
請求項３記載の発明は、請求項２記載のリモート操作装置において、
所定の時間帯に対応する画像形成装置を定義する優先設定情報を記憶する一次記憶手段を備え、
前記制御手段は、優先設定情報に応じて、指定された時間帯に対応する画像形成装置の操作画面を優先的に前記表示部に表示させることを特徴としている。
【００１３】
請求項３記載の発明によれば、予め優先設定情報により、所定の時間帯毎に対応する画像形成装置を定義しておき、指定された時間帯に対応する画像形成装置の操作画面を優先して表示部に表示させることができる。このため、時間帯に応じて使用頻度が高くなる画像形成装置の操作画面を常に表示させておくことができ、効率良く画像形成装置をリモート操作することができる。
【００１４】
請求項４記載の発明は、請求項２記載のリモート操作装置において、
画像形成装置に発生する異常の種類を定義する優先設定情報を記憶する一時記憶手段を備え、
前記通信部は、画像形成装置に発生した異常に関する状態情報を受信し、
前記制御手段は、前記状態情報に基づいて画像形成装置に発生した異常と、前記優先設定情報に定義されている異常の種類とを比較し、画像形成装置に発生した異常が優先設定情報に定義されている異常と同一である場合、異常の発生した画像形成装置の操作画面を優先的に前記表示部に表示させることを特徴としている。
【００１５】
請求項４記載の発明によれば、予め優先設定情報により、画像形成装置に発生する異常の種類を定義しておき、画像形成装置から送信される状態情報に基づいて、画像形成装置で発生した異常が、優先設定情報に定義されている異常と同一である場合、当該異常の発生した画像形成装置の操作画面を優先して表示部に表示させることができる。これにより、ユーザは、特定の異常が発生したことを速やかに認識することができ、迅速に発生したトラブルに対応することができる。
【００１６】
請求項５記載の発明は、請求項２記載のリモート操作装置において、
画像形成装置のアイドル状態の時間を定義する優先設定情報を記憶する一時記憶手段を備え、
前記通信部は、画像形成装置のアイドル状態に関する状態情報を受信し、
前記制御手段は、前記状態情報に基づいて、前記優先設定情報に定義されているアイドル状態の時間を超えてアイドル状態にある画像形成装置の操作画面を優先的に前記表示部に表示させることを特徴としている。
【００１７】
請求項５記載の発明によれば、予め優先設定情報により、所定のアイドル状態の時間を設定し、画像形成装置から送信される状態情報に基づいて、所定のアイドル状態の時間を超えて、アイドル状態にある画像形成装置の操作画面を優先して表示部に表示させることができる。したがって、稼動可能な状態にある画像形成装置を的確に認識して、画像形成装置をリモート操作することができるため、画像形成装置の利用効率を向上させることができる。
【００１８】
請求項６記載の発明は、請求項２記載のリモート操作装置において、
所定の時間幅を定義する優先設定情報を記憶する一時記憶手段を備え、
前記制御手段は、前記優先設定情報に定義される所定の時間幅毎に、前記優先的に表示される操作画面を切り替えて表示させることを特徴していする。
【００１９】
請求項６記載の発明によれば、所定の時間幅毎に順次切り替えて複数の画像形成装置の操作画面を表示させることができるため、リモート操作システム全体を一括して管理することができる。
【００２０】
請求項７記載の発明は、請求項６記載のリモート操作装置において、
前記優先設定情報は、複数の画像形成装置の優先順位を定義する情報を含み、前記制御手段は、前記所定の時間毎に、前記拡優先的に表示される操作画面を、当該優先順位に従って、切り替えて表示することを特徴としている。
【００２１】
請求項７記載の発明によれば、ユーザの利用態様に応じて、画像形成装置に優先順位を設定して、対応する画像形成装置の操作画面を表示させることができる。
【００２２】
請求項８記載の発明は、請求項２記載のリモート操作装置において、
前記通信部は、画像形成装置の使用状況に関する状態情報を受信し、
前記制御手段は、前記状態情報に基づいて、複数の画像形成装置のうち使用頻度の高い画像形成装置又は使用頻度の低い画像形成装置の操作画面を優先的に表示部に表示させることを特徴としている。
【００２３】
請求項８記載の発明によれば、例えば、使用頻度の高い画像形成装置の操作画面を優先して表示させることにより、各画像形成装置の操作画面を切り替える頻度を減らして、効率良く画像形成装置のリモート操作を行うことができる。また、使用頻度の低い画像形成装置の操作画面を優先して表示させることにより、使用頻度の画像形成装置の待機時間を低減させて、システム全体を均一的に稼動させることができる。
【００２４】
請求項９記載の発明は、請求項２から７のいずれか一項に記載のリモート操作装置において、
前記制御手段は、前記優先的に操作画面が表示された画像形成装置以外の他の画像形成装置に対応するアイコンを表示部に表示させ、前記アイコンの操作指示が入力された場合、当該アイコンに対応する画像形成装置の操作画面を優先的に表示部に表示させることを特徴としている。
【００２５】
請求項９記載の発明によれば、表示部に操作画面が表示されていない画像形成装置をリモート操作する場合、表示部のアイコンを選択指示することにより、速やかに対応する画像形成装置の操作画面を表示させることができ、操作性が良い。また、不要な操作画面を表示させないことにより、操作画面の視認性を向上させることができる。
【００２６】
請求項１０記載の発明は、
請求項１から９のいずれか一項に記載のリモート操作装置と、
前記リモート装置に前記通信ネットワークを介してリモート操作される前記複数の画像形成装置とを備えることを特徴としている請求項１記載の発明によれば、通信ネットワークを介して接続される複数の画像形成装置を同一の画面においてリモート操作することができ、複数の画像形成装置毎に、操作画面を切り替える手間を必要とせずに、効率良く画像形成装置を管理することができる。
【００２７】
請求項１０記載の発明によれば、請求項１から９に記載した発明の効果を備えるリモート操作装置と、そのリモート操作装置によりリモート操作される複数の画像形成装置とを備えるリモート操作システムを構築することができる。
【００２８】
【発明の実施の形態】
以下、図１〜図１９を参照して本発明の実施の形態を詳細に説明する。ただし、発明の範囲は、図示例に限定されない。
【００２９】
まず、本実施の形態の構成を説明する。
図１は、本実施の形態におけるリモート操作システム１００のシステム構成及び各装置の内部構成を示す図である。図１に示すように、リモート操作システム１００は、複写機２をリモート操作するリモート操作装置１と、画像形成装置としての複写機２ａ〜２ｎ（以下、統括的に「複写機２」と記す）とを備えて構成され、各装置はネットワークＮを介して接続されている。本実施の形態では、リモート操作対象が複写機２であるものとして説明するが、少なくとも画像出力機能を有する画像形成装置としてもよい。なお、リモート操作装置１及び複写機２の設置台数、設置箇所は特に限定されない。
【００３０】
ネットワークＮは、電話回線網、ＩＳＤＮ回線網、専用線、移動体通信網、通信衛星回線、ＣＡＴＶ回線網等の各種通信回線と、それらを接続するインターネットサービスプロバイダ基地局Ｐ等を含む。なお、ネットワークＮは、必要な時に接続が可能であればよく、常時接続されている必要はない。また、ネットワークＮは、情報管理の信頼性の観点から、特定のユーザのみアクセス可能なセキュリティを確保しているネットワークであることが望ましい。
【００３１】
次に、リモート操作装置１について詳細に説明する。
図１に示すように、リモート操作装置１は、制御手段としてのＣＰＵ１１、入力部１２、表示部１３、通信部１４、一時記憶手段としてのＲＡＭ１５、記憶部１６等から構成され、各部はバス１７により接続される。
【００３２】
制御手段としてのＣＰＵ（Ｃｅｎｔｒａｌ  Ｐｒｏｃｅｓｓｉｎｇ  Ｕｎｉｔ）１１は、記憶部１６に格納されている各種プログラムの中から指定されたプログラムを、ＲＡＭ１５内の図示しないワークエリアに展開し、入力部１２、及び通信部１４から入力されるデータに応じて、プログラムに従った各種処理を実行し、処理結果をＲＡＭ１５内のワークメモリに格納する。また、処理結果を表示するための表示情報を生成して表示部１３へ出力する。
【００３３】
具体的に、ＣＰＵ１１は、操作者の指示に応じてネットワークＮに接続されている複写機２の登録を行う手動接続登録処理（図２参照）、ネットワークＮに接続されている複写機２の登録を自動で行う自動接続登録処理（図４参照）、優先モードの設定を行う優先モード設定処理（図６参照）、設定されたモードに基づいて、登録された複写機２の操作画面を表示する複写機２表示処理（図１１参照）を実行する。また、ＣＰＵ１１は、複写機２表示処理の一部として、通常モード表示処理（図１２参照）、時間優先モード表示処理（図１７参照）、異常優先モード表示処理（図１８参照）、状態優先モード表示処理（図１９参照）を実行する。なお、各処理の詳細は後述する。
【００３４】
入力部１２は、カーソルキー、数字入力キー、及び各種機能キーを備えたキーボードを含み、このキーボードで押下されたキーに対応する押下信号をＣＰＵ１１に出力する。なお、入力部１２は、必要に応じてマウス、タッチパネル等のポインティングデバイスや、その他の入力装置を備えるものとしてもよい。
【００３５】
表示部１３は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等によってなる表示画面を備え、ＣＰＵ１１から入力される表示信号の指示に従って入力部１２、通信部１４を介して送受信される表示データを画面上に表示する。
【００３６】
通信部１４は、ＬＡＮ、ＷＡＮ、あるいはインターネット等のネットワークＮに接続された伝送媒体に接続可能なインターフェイスであり、電話回線、ＩＳＤＮ回線、無線通信回線、専用線、ＣＡＴＶ回線等の通信回線を介して外部機器との通信を行うための制御を行う。
【００３７】
ＲＡＭ（Ｒａｎｄｏｍ  Ａｃｃｅｓｓ  Ｍｅｍｏｒｙ）１５は、ＣＰＵ１１によって実行される各種プログラムやこれら各種プログラムによって処理されたデータ等を一時的に記憶するワークエリアを形成する。また、ＲＡＭ１５は、後述する手動接続登録処理又は自動接続登録処理において、ネットワークＮ上に接続されている複写機２を登録するための接続登録テーブル（図示せず）を格納している。この接続登録テーブルは、ネットワークＮ上に接続された複写機２にそれぞれ割り振られたＩＰアドレスを複写機２の識別情報（例えば、装置名称、装置番号等）と共に記憶している。
【００３８】
記憶部１６は、プログラムやデータ等があらかじめ記憶されている記録媒体（図示せず）を有しており、この記録媒体は磁気的、光学的記録媒体、若しくは半導体メモリで構成されている。この記録媒体は記憶部１６に固定的に設けられるもの、若しくは着脱自在に装着するものであり、この記録媒体には、システムプログラム、当該システムに対応する各種処理プログラム、及び各種処理プログラムで処理されたデータ等を記憶する。
【００３９】
また、記録媒体に記憶するプログラム、データ等は、その一部若しくは全部をサーバやクライアント等の他の機器からＷＡＮ、ＬＡＮ等のネットワーク回線の伝送媒体を介して通信部１４から受信して記憶する構成にしてもよく、さらに、記録媒体はネットワーク上に構築されたサーバの記録媒体であってもよい。また、前記プログラムをネットワーク回線等の伝送媒体を介してサーバやクライアントへ伝送してこれらの機器にインストールするように構成してもよい。
【００４０】
次に、複写機２について説明する。
図１に示すように、複写機２は、ＣＰＵ２１と、入力部２２、表示部２３、通信部２４、ＲＡＭ２５、記憶部２６、画像出力部２７、状態検出部２８等から構成され、各部はバス２８により接続される。
【００４１】
複写機２の各部のうちリモート操作装置１と同名称の各部は、リモート操作装置１の各部と略同様の構成を有する。このため、リモート操作装置１の各部と異なる部分について、以下説明する。
【００４２】
ＣＰＵ２１は、記憶部２６に格納されている各種プログラムの中から指定されたプログラムを、ＲＡＭ２５内の図示しないワークエリアに展開し、入力部２２、及び通信部２４から入力されるデータに応じて、プログラムに従った各種処理を実行し、処理結果をＲＡＭ２５内のワークメモリに格納する。また、処理結果を表示するための表示情報を生成して表示部２３へ出力する。
【００４３】
具体的に、ＣＰＵ２１は、後述する状態検知部２８から状態情報が入力されると、入力された状態情報（ジャム発生、ジャム位置、ジャム解除、紙なし等を含む）に応じて、後述する通信部２４を制御して、リモート操作装置１に状態情報を送信する。また、ＣＰＵ２１は、タイマーを備え、複写機２が一定時間稼動されない場合、すなわちアイドル状態が続くと、不使用時に必要最小限の機能を維持する低消費電力状態、すなわちスリープ状態に切り替えを行う。そして、ＣＰＵ２１は、リモート操作装置１から問い合わせ要求を受信すると、アイドル状態に関する状態情報を生成して、生成した状態情報をリモート操作装置１に送信する。
【００４４】
また、ＣＰＵ２１は、リモート操作装置１の操作画面において入力された操作情報を受信すると、受信した操作情報に従って、複写機２全体の集中制御を行い、各種処理を実行する。
【００４５】
入力部２２は、数次入力キー及び各種機能キーなどを備えたキーパッドを含み、入力部２２は、操作者によりキーパッドで押下された押下信号をＣＰＵ２１に出力する。また、入力部２２は、表示部２３と一体的にタッチパネルとして構成されていてもよい。
【００４６】
記憶部２６は、通信部２４から受信された画像データやスキャナ部２７によりスキャンされた画像データなどを読み書き可能に記憶する。
【００４７】
スキャナ部２７は、光源、ＣＣＤ（Ｃｈａｒｇｅ  Ｃｏｕｐｌｅｄ  Ｄｅｖｉｃｅ）等により構成され、光源から原稿へ照明走査した光の反射光を結像して光電変換することにより原稿の画像を読み取り、読み取った画像データを画像出力部２８に出力する。ここで、画像データは、図形や写真等のイメージデータに限らず、文字や記号等のテキストデータ等も含む。
【００４８】
画像出力部２８は、レーザ式、インクジェット式、ドットインパクト式、熱転写式などにより、記録紙、ＯＨＰシートなどの印刷媒体上に画像データの画像を形成して出力する。
【００４９】
状態検出部２９は、バイパスセンサ、スタッカセンサ、フィニッシャ排紙センサ等からなり、用紙の位置を検知することによりジャムの発生、ジャム位置、ジャム解除、紙なし等を検知して状態情報を生成し、この状態情報をＣＰＵ２１へ出力する。
【００５０】
次に、本実施の形態の動作を説明する。
なお、動作説明の前提として、以下のフローチャートに記述されている各処理を実現するためのプログラムは、リモート操作装置１のＣＰＵ１１又は複写機２のＣＰＵ１１が読み取り可能なプログラムコードの形態で記憶部１６又は記憶部２６に格納されており、ＣＰＵ１１，２１は、当該プログラムコードに従った動作を逐次実行する。
【００５１】
図２は、リモート操作装置１のＣＰＵ１１により実行される手動接続登録処理を示すフローチャートである。図２に示すように、ＣＰＵ１１は、入力部１２を介して、初期設定又は複写機２の接続登録の指示が入力された場合（ステップＳ１；ＹＥＳ）、後述する接続登録画面１３１を表示部１３に表示させる（ステップＳ２）。
【００５２】
図３は、ネットワークＮに接続される複写機２の登録を行うための接続登録画面の一例を示す図である。図３に示すように、接続登録画面１３１は、ネットワーク上に接続されている複写機２のＩＰアドレスを入力する項目１３１ａ、入力された内容で登録を確定する指示を入力する確定ボタン１３１ｂ、登録を終了する指示を入力する終了ボタン１３１ｃ、登録を追加する指示を入力する追加ボタン１３１ｄが設けられている。
【００５３】
ユーザは、この接続登録画面１３１において、ＩＰアドレス入力項目１３１ａに接続登録を行う複写機２のＩＰアドレスを入力し、確定ボタン１３１ｃを押下することにより、所望の複写機２の接続登録を行うことができる。また、終了ボタン１３１ｃを押下することにより、接続登録を終了することができ、追加ボタ１３１ｄを押下することにより、他の複写機２の接続登録を継続して行うことができる。
【００５４】
図２に戻り、ＣＰＵ１１は、接続登録画面１３１において入力された登録内容を取得し（ステップＳ３）、取得した登録内容の正当性をチェックした後、接続登録テーブルに登録内容を記録し、複写機２を登録する（ステップＳ４）。次いで、ＣＰＵ１１は、追加登録の指示が入力されたか否かを判別し（ステップＳ５）、追加登録の指示が入力された場合（ステップＳ５；ＹＥＳ）、接続登録テーブルが登録可能な台数を超えていないか否かを判別する（ステップＳ６）。
【００５５】
接続登録テーブルが登録可能な台数を超えていない場合（ステップＳ５；ＹＥＳ）、ＣＰＵ１１は、ステップＳ２に移行して、上述した処理を繰り返して実行する。一方、接続登録テーブルが登録可能な台数を超えている場合（ステップＳ６；ＮＯ）、又は、追加登録の指示が入力されなかった場合（ステップＳ５；ＮＯ）、ＣＰＵ１１は、本手動接続処理を終了する。
【００５６】
次に、ネットワークＮに接続される複写機２を自動で登録する自動接続登録処理について説明する。図４は、ＣＰＵ１１により実行される自動接続登録処理を示すフローチャートである。図４に示すように、入力部１２を介して、自動接続登録指示が入力されると（ステップＳ１１；ＹＥＳ）、ＣＰＵ１１は、ネットワークＮ上にブロードキャストを行う（ステップＳ１２）。ここで、ブロードキャストは、ネットワーク内で、不特定多数の相手に向かってデータを送信することである。
【００５７】
続いて、ＣＰＵ１１は、ネットワークＮに接続された複写機２から応答が合ったか否かを判別し（ステップＳ１３）、適切な応答があった場合（ステップＳ１３；ＹＥＳ）、応答があった複写機２のＩＰアドレスを取得し、登録の正当性をチェックした後、接続登録テーブルにＩＰアドレスを記憶させて、登録を行う（ステップＳ１４）。
【００５８】
そして、ＣＰＵ１１は、他の複写機２から応答があったか否かを判別し（ステップＳ１３）、応答があった場合（ステップＳ１３；ＹＥＳ）、上述した処理を繰り返して実行する。一方、複写機２からの応答がない場合（ステップＳ１３；ＮＯ）、ＣＰＵ１１は、本自動接続登録処理を終了する。
【００５９】
図５は、自動登録指示を入力するための自動登録指示画面の一例を示す図である。図５に示すように、自動登録指示画面１３２には、「自動的に複写機２を登録します。」とのテキストデータが表示され、開始の指示を入力するための開始ボタン１３２ａと、中止の指示を入力するための中止ボタン１３２ｂが設けられている。
【００６０】
次に、複写機２の操作画面を表示するモードとして、優先モードを設定するための優先モード設定処理について説明する。図６は、ＣＰＵ１１により実行される優先モード設定処理のフローチャートを示す図である。図６に示すように、ＣＰＵ１１は、優先モードの設定指示が入力されると（ステップＳ２１；ＹＥＳ）、後述する優先モード設定画面を表示部１３に表示させる（ステップＳ２２）。
【００６１】
図７は、優先モードを設定するための優先モード設定画面の一例を示す図である。図７に示すように、優先モード設定画面１３７は、「優先モード設定画面」とのテキストデータと、「選んでください」とのテキストデータが表示されている。また、画面中央には、時間優先モードの詳細設定の指示を入力するための「時間優先」ボタン１３７ａと、異常優先モードの詳細設定の指示を入力するための「異常優先」ボタン１３７ｂ、状態優先モードの詳細設定の指示を入力するための「状態優先」ボタン１３７ｃが設けられている。
【００６２】
ここで、時間優先モードは、予め設定された時間帯に応じて、その時間帯に対応する複写機２を優先的に表示するモードである。異常優先モードは、予め登録された異常が発生した複写機２を優先的に表示するモードである。状態優先モードは、予め設定された時間を超えて、アイドル状態が継続している複写機２を優先的に表示するモードである。
【００６３】
したがって、ユーザは、各優先モードを設定する場合、それぞれに対応する優先設定情報（例えば、時間帯と対応する複写機、異常の種類、アイドルの設定時間）の入力が必要となる。
【００６４】
図６に戻り、ＣＰＵ１１は、優先モード設定画面において入力された指示が時間優先モードの設定指示であるか否かを判別する（ステップＳ２３）。入力された指示が、時間優先モードの設定指示である場合（ステップＳ２３；ＹＥＳ）、ＣＰＵ１１は、後述する時間優先設定画面を表示部１３に表示させる（ステップＳ２４）。
【００６５】
図８は、時間優先モードの詳細な設定を行うための時間優先設定画面の一例を示す図である。図８に示すように、時間優先設定画面１３８は、「時間優先設定画面」とのテキストデータが表示されている。その下部には、所定の時間帯を設定するため、開始時間を入力する開始時間入力項目１３８ａ、終了時間を入力する終了時間入力項目１３８ｂが設けられている。さらに、その右側には、対応する複写機２の識別情報を入力する複写機２入力項目１３８ｃが設けられている。
【００６６】
また、複数の時間帯を入力可能とするため、複数の開始時間入力項目１３８ａ、終了時間入力項目１３８ｂ、複写機２入力項目１３８ｃが同様に設けられている。さらに、画面下部には、「上記時間以外」のテキストデータが表示され、設定された時間帯以外に優先的に表示させる複写機２を入力する複写機２入力項目１３８ｄが設けられている。
【００６７】
したがって、ユーザは、所定の時間帯の開始時間及び終了時間を入力すると共に、優先的に表示させる複写機２の識別情報を入力することにより、入力された時間帯及び対応する複写機２の識別情報が取得され、時間優先モードが設定される。具体的に、本画面例においては、開始時間入力項目１３８ａに、「１０：００」の数字データが入力され、終了時間入力項目１３８ｂに、「１２：００」の数字データが入力され、複写機２入力項目１３８ｃには、「Ａ」の文字データが入力されているため、１０：００−１２：００の時間帯は、複写機２「Ａ」の操作画面が表示部１３に優先的に表示される構成となる。
【００６８】
図６に戻り、優先モード設定画面１３７において入力された指示が時間優先モードの設定指示でない場合（ステップＳ２３；ＮＯ）、ＣＰＵ１１は、入力された指示が異常優先モードであるか否かを判別する（ステップＳ２５）。入力された指示が、異常優先モードの設定指示である場合（ステップＳ２５；ＹＥＳ）、ＣＰＵ１１は、後述する異常優先設定画面を表示部１３に表示させる（ステップＳ２６）。
【００６９】
図９は、異常優先モードの詳細な設定を行うための異常優先設定画面の一例を示す図である。図９に示すように、異常優先設定画面１３９は、画面上部に「異常優先設定画面」のテキストデータが表示されている。その下部には、登録可能な異常の種類として、「ジャム発生」を登録するための指示ボタン１３９ａ、「紙なし」を登録するための指示ボタン１３９ｂ、「トナー補給必要」を登録するための指示ボタン１３９ｃ、「故障」を登録するための指示ボタン１３９ｄが設けられている。さらに、その下部には、「のとき表示」とのテキストデータが表示されている。
【００７０】
したがって、ユーザは、異常優先設定画面１３９において、所望する少なくとも１つの異常の種類に対応する各指示ボタンを押下することにより、指示された異常が設定優先情報として取得され、異常優先モードが設定される。これにより、複写機２に異常が発生した場合、登録された異常の発生した複写機２の操作画面が、表示部１３に表示されることとなる。なお、各指示ボタンは、ユーザに押下されることにより、反転表示や３次元的なアクティブ表示がなされ、他の指示ボタンと識別可能に表示される。
【００７１】
図６に戻り、優先モード設定画面において入力された指示が異常優先モードの設定指示でない場合（ステップＳ２５；ＮＯ）、ＣＰＵ１１は、入力された指示が状態優先モードであるか否かを判別する（ステップＳ２７）。入力された指示が、状態優先モードの設定指示である場合（ステップＳ２７；ＹＥＳ）、ＣＰＵ１１は、後述する状態優先設定画面を表示部１３に表示させる（ステップＳ２８）。
【００７２】
図１０は、状態優先モードの詳細な設定を行うための状態優先設定画面の一例を示す図である。図１０に示すように、状態優先設定画面１４０は、「状態優先設定画面」とのテキストデータが表示されている。その下部には、アイドル状態の設定時間を入力するための設定時間入力項目１４０ａが設けられ、その後ろに続けて、「分以上アイドル状態の複写機２を表示」とのテキストデータが表示されている。
【００７３】
したがって、ユーザは、設定時間入力項目１４０ａに所望する時間を入力することにより、入力された設定時間が優先設定情報として取得され、状態優先モードが設定される。これにより、入力された設定時間を経過してアイドル状態が継続する複写機２がある場合、対応する複写機２の操作画面が表示部１３に表示される。
【００７４】
図６に戻り、ＣＰＵ１１は、表示部１３に各設定画面を表示部１３に表示させた後、各設定画面において入力された情報を優先設定情報として取得し、ＲＡＭ１５に格納することにより、各優先モードを設定する（ステップＳ２９）。そして、ＣＰＵ１１は、本優先モード設定処理を終了する。
【００７５】
次に、リモート操作装置１の表示部１３に登録された複写機２の操作画面を表示させる複写機２表示処理について説明する。図１１は、ＣＰＵ１１により実行される複写機２表示処理のフローチャートを示す図である。図１１に示すように、ＣＰＵ１１は、優先モードが設定されているか否かを判別する（ステップＳ３１）。優先モードが設定されていない場合（ステップＳ３１；ＮＯ）、ＣＰＵ１１は、通常モードが設定されていると判別して、後述する通常モード表示処理を実行する（ステップＳ３２）。
【００７６】
図１２は、複写機２表示処理の一部として、ＣＰＵ１１により実行される通常モード表示処理のフローチャートを示す図である。図１２に示すように、ＣＰＵ１１は、通常モードにおいて、入力部１２を介して、平等表示指示が入力されたか否かを判別する（ステップＳ４１）。平等表示指示が入力された場合（ステップＳ４１；ＹＥＳ）、登録されている複写機２を操作する操作画面を、それぞれ平等に表示する平等画面を表示部１３に表示させる（ステップＳ４２）。
【００７７】
図１３は、登録されている複写機２が４台ある場合に、４台の複写機２に対応する操作画面を表示する平等画面の一例を示す図である。図１３に示すように、平等画面１３３は、４つの複写機２に対応する操作画面１３３ａ〜１３３ｄがそれぞれ同一の大きさにて表示されている。この操作画面１３３ａ〜１３３ｄにおいて、ユーザにより操作情報が入力されると、ＣＰＵ１１により、操作情報が取得され、入力された操作画面に対応する複写機２に送信される。各操作画面１３３ａ〜１３３ｄの詳細な構成については後述する。なお、平等画面１３３上にて、所望する操作画面の拡大表示指示が入力されると、選択された操作画面が拡大されて、表示部１３に表示される構成となっている。
【００７８】
図１２に戻り、ＣＰＵ１１は、通常モードにおいて、拡大表示指示が入力されたか否かを判別する（ステップＳ４３）。拡大表示指示が入力された場合（ステップＳ４３；ＹＥＳ）、ＣＰＵ１１は、指示された複写機２に対応する操作画面を拡大して表示する拡大画面を表示部１３に表示させる。
【００７９】
図１４は、複写機２「Ａ」の拡大指示が入力された場合に、複写機２「Ａ」を操作するための操作画面を拡大して表示する拡大画面の一例を示す図である。図１４に示すように、拡大画面１３４は、複写機２から出力させる印刷媒体の枚数を表示する枚数表示項目１３４ａ、複写機２の異常や状態を表示する状態表示項目１３４ｂ、複写機２の識別情報を表示する複写機２表示項目１３４ｃ、複数の操作キーが設けられるテンキー１３４ｄ、コピー開始の指示を入力するためのコピーボタン１３４ｅ、入力した指示をキャンセルするためのキャンセルボタン１３４ｆ、入力した操作情報を消去するためのクリアボタン１３４ｇが設けられている。
【００８０】
したがって、この拡大画面１３４において、ユーザにより、複写機２に対する操作情報が入力され、コピーボタン１３４ｅが押下されると、ＣＰＵ１１により、対応する複写機２に操作情報が送信され、複写機２において操作情報に基づく処理が実行される。
【００８１】
図１２に戻り、ＣＰＵ１１は、通常モードにおいて、入力部１２を介してアイコン表示指示が入力されたか否かを判別する（ステップＳ４５）。アイコン表示指示が入力された場合（ステップＳ４５；ＹＥＳ）、ＣＰＵ１１は、後述するアイコン画面を表示部１３に表示させる（ステップＳ４６）。
【００８２】
図１５は、登録されている複写機２が４台ある場合に、４台の複写機２に対応するアイコンを表示するアイコン画面の一例を示す図である。図１３に示すように、アイコン画面１３５には、複写機２「Ａ」〜「Ｄ」に対応するアイコン１３５ａ〜１３５ｄがそれぞれ表示されている。なお、アイコン画面１３５上にて、一部拡大指示として、所望するアイコンが選択指示されることにより、指示されたアイコンに対応する複写機２の操作画面が拡大されて、表示部１３の一部に表示される構成となっている。
【００８３】
図１２に戻り、ＣＰＵ１１は、通常モードにおいて、入力部１２を介して一部拡大表示指示が入力されたか否か判別する（ステップＳ４５）。アイコン表示指示が入力された場合（ステップＳ４５；ＹＥＳ）、ＣＰＵ１１は、後述するアイコン画面を表示部１３に表示させる（ステップＳ４６）。
【００８４】
図１６は、複写機２「Ａ」の一部拡大指示が入力された場合に、複写機２「Ａ」を操作するための操作画面を表示部１３の一部に拡大して表示する一部拡大画面の一例を示す図である。図１６に示すように、一部拡大画面１３６には、一部拡大指示が入力された複写機２の操作画面１３６ａと、その他の複写機２のアイコン１３６ｂ〜１３６ｄとが表示されている。操作画面１３６ａは、図１４に示した拡大画面１３４と同一の構成であり、操作画面１３６ａを介して、操作情報を入力することにより、複写機２をリモート操作することが可能である。
【００８５】
図１２に戻り、ＣＰＵ１１は、表示終了指示（通常モードの表示終了指示を含む）が入力されたか否かを判別し（ステップＳ４９）、表示終了指示が入力されない場合は（ステップＳ４９；ＮＯ）、ステップＳ４１に移行して、上述した処理を繰り返して実行する。また、表示終了指示が入力された場合（ステップＳ４９；ＹＥＳ）、ＣＰＵ１１は、本通常モード表示処理を終了する。
【００８６】
図１１に戻り、ステップＳ３１において、優先モードが設定されている場合（ステップＳ３１；ＹＥＳ）、ＣＰＵ１１は、設定されている優先モードが、時間優先モードであるか否かを判別する（ステップＳ３３）。設定されている優先モードが時間優先モードである場合（ステップＳ３３；ＹＥＳ）、ＣＰＵ１１は、後述する時間優先モード表示処理を実行する（ステップＳ３４）。
【００８７】
図１７は、複写機２表示処理の一部として、ＣＰＵ１１により実行される時間優先モード表示処理のフローチャートを示す図である。図１７に示すように、ＣＰＵ１１は、ＲＡＭ１５に格納されている優先設定情報を取得し（ステップＳ５１）、取得した優先設定情報に含まれる設定時間と、現在の時間を比較して、対応する複写機２を取得する（ステップＳ５２）。
【００８８】
次いで、ＣＰＵ１１は、対応する複写機２の操作画面を一部拡大して表示した一部拡大画面１３６（図１６参照）を表示部１３に表示させる（ステップＳ５３）。次いで、ＣＰＵ１１は、表示終了指示（時間優先モードの表示終了指示を含む）が入力されたか否かを判別し（ステップＳ５４）、表示終了指示が入力されない場合（ステップＳ５４；ＮＯ）、ステップＳ５２に移行して、上述した処理を繰り返して実行する。一方、表示終了指示が入力された場合（ステップＳ５４；ＹＥＳ）、ＣＰＵ１１は、本時間優先モード表示処理を終了する。
【００８９】
図１１に戻り、ステップＳ３３において、時間優先モードが設定されていない場合（ステップＳ３３；ＮＯ）、ＣＰＵ１１は、異常優先モードが設定されているか否かを判別する（ステップＳ３５）。異常優先モードが設定されている場合（ステップＳ３５；ＹＥＳ）、ＣＰＵ１１は、後述する異常優先モード表示処理を実行する。
【００９０】
図１８は、複写機２表示処理の一部として、ＣＰＵ１１により実行される異常優先モード表示処理のフローチャートを示す図である。図１８に示すように、ＣＰＵ１１は、ＲＡＭ１５に格納されている優先設定情報を取得し（ステップＳ６１）、複写機２から受信した状態情報に基づいて、接続登録されている複写機２について異常発生の有無を監視する（ステップＳ６２）。
【００９１】
ＣＰＵ１１は、異常が発生した複写機２があるか否かを判別し（ステップＳ６３）、異常が発生した複写機２がある場合（ステップＳ６３；ＹＥＳ）、発生した異常の種類が優先設定情報に登録されているか否かを判別する（ステップＳ６４）。発生した異常が優先設定情報に登録されている場合（ステップＳ６４；ＹＥＳ）、ＣＰＵ１１は、異常が発生した複写機２の操作画面を一部拡大して表示した一部拡大画面１３６（図１６参照）を表示部１３に表示させる（ステップＳ６５）。
【００９２】
一方、発生した異常が優先設定情報に登録されていない場合（ステップＳ６４；ＮＯ）、ＣＰＵ１１は、異常が発生した複写機２の操作画面を拡大せずに、ステップＳ６６に移行し、表示終了指示（異常優先モードの表示終了指示を含む）が入力されたか否かを判別する（ステップＳ６６）。表示終了指示が入力されていない場合（ステップＳ６６；ＮＯ）、ＣＰＵ１１は、ステップＳ６２に移行して、上述した処理を繰り返して実行する。一方、表示終了指示が入力された場合（ステップＳ６６；ＹＥＳ）、ＣＰＵ１１は、本異常優先モード表示処理を終了する。
【００９３】
図１１に戻り、ＣＰＵ１１は、ステップＳ３５において、異常優先モードが設定されていない場合（ステップＳ３５；ＮＯ）、ＣＰＵ１１は、状態優先モードが設定されているか否かを判別する（ステップＳ３７）。状態優先モードが設定されている場合（ステップＳ３７；ＹＥＳ）、ＣＰＵ１１は、後述する状態優先モード表示処理を実行する。
【００９４】
図１９は、複写機２表示処理の一部として、ＣＰＵ１１により実行される状態優先モード表示処理のフローチャートを示す図である。図１９に示すように、ＣＰＵ１１は、ＲＡＭ１５に格納されている優先設定情報を取得すると共に（ステップＳ７１）、タイマーの計測を開始する（ステップＳ７２）。
【００９５】
次いで、ＣＰＵ１１は、優先設定情報に設定されたアイドルの設定時間を経過したか否かを判別し（ステップＳ７３）、設定時間が経過した場合（ステップＳ７３；ＹＥＳ）、接続登録されている複写機２に問い合わせを行う（ステップＳ７４）。続いて、ＣＰＵ１１は、複写機２から送信される状態情報に基づいて、継続してアイドル状態である複写機２があるか否かを判別する（ステップＳ７５）。
【００９６】
継続してアイドル状態の複写機２がある場合（ステップＳ７５；ＹＥＳ）、ＣＰＵ１１は、アイドル中の複写機２の操作画面を一部拡大して表示した一部拡大画面１３６（図１６参照）を表示部１３に表示させる（ステップＳ７６）。一方、継続してアイドル状態の複写機２がない場合（ステップＳ７５；ＮＯ）、ＣＰＵ１１は、いずれの複写機２の操作画面も拡大せずに、ステップＳ７７に移行し、表示終了指示（状態優先モードの表示終了指示を含む）が入力されたか否かを判別する（ステップＳ６６）。
【００９７】
表示終了指示が入力されていない場合（ステップＳ７７；ＮＯ）、ＣＰＵ１１は、ステップＳ７２に移行して、上述した処理を繰り返して実行する。一方、表示終了指示が入力された場合（ステップＳ７７；ＹＥＳ）、ＣＰＵ１１は、本状態優先モード表示処理を終了する。
【００９８】
図１１に戻り、ステップＳ３７において、状態優先モードが設定されていない場合（ステップＳ３７；ＮＯ）、ＣＰＵ１１は、ステップＳ３２に移行して、上述した通常モード表示処理（図１２参照）を実行する。そして、各モード表示処理を終了すると、ＣＰＵ１１は、本複写機２表示処理を終了する。
【００９９】
以上のように、本実施の形態によれば、通信ネットワークを介して接続される複数の複写機２をリモート操作するリモート操作システム１００において、リモート操作装置１は、予め登録された複写機２に対応する複数の操作画面を表示部１３に同時に表示させ、各操作画面において入力された複写機２に対する操作情報を、入力された操作画面に応じて対応する複写機２に送信することにより、複数の複写機２に対するリモート操作を行う。
【０１００】
これにより、通信ネットワークを介して複数の複写機２が接続される場合であっても、複数の複写機２に対応する操作画面を同時に表示させ、各操作画面において、それぞれの複写機２に対する操作情報を入力して、複写機２をリモート操作することができるため、複写機２を操作する毎に操作画面の切り替えを行う必要がなく、効率良く複写機２のリモート操作を行うことができる。
【０１０１】
また、リモート操作装置１の表示部１３に複写機２の操作画面を表示させる場合、通常モード又は優先モードを設定させ、通常モードが設定されている場合は、複数の複写機２に対応する操作画面を平等に表示させる平等画面、複数の複写機２に対応するアイコンを表示させるアイコン画面、ユーザからの指示に応じて、特定の複写機２の操作画面を拡大して表示させる拡大画面、特定の複写機２の操作画面を一部拡大して表示させる一部拡大画面を表示部１３に表示させる。
【０１０２】
したがって、ユーザの利用態様に応じて種々の画面を選択して、複写機２の操作画面を表示させることができるため、汎用性、利便性に優れたリモート操作装置１を提供することができる。
【０１０３】
また、優先モードのうち時間優先モードが設定されている場合、予め設定された時間帯に応じて対応する複写機２の操作画面が一部拡大して表示されるため、各時間帯毎に最も利用頻度の高くなる複写機２の操作画面を自動で表示させることができるため、効率良く各複写機２をリモート操作することができる。
【０１０４】
また、優先モードのうち異常優先モードが設定されている場合、予め設定された異常が複写機２に発生すると、異常が発生した複写機２の操作画面が一部拡大して表示されるため、ユーザは、複写機２に異常が発生したことを即座に認識することができ、迅速に異常の発生に対応することができる。これにより、トラブルを速やかに解消して、重大な故障などを未然に防ぐことができる。
【０１０５】
また、優先モードのうち状態優先モードが設定されている場合、複写機２のアイドル状態が予め設定された時間を超えると、アイドル状態が継続中の複写機２の操作画面が一部拡大して表示部１３に表示されるため、ユーザは、稼動可能な複写機２を優先して使用することができ、処理効率を向上させると共に、複写機２の利用効率を向上させることができる。
【０１０６】
また、各優先モードにおいては、対応する複写機２の操作画面が一部拡大されて表示されると共に、他の複写機２に対応するアイコンが表示され、アイコンを選択指示することにより、指示されたアイコンに対応する複写機２の操作画面を一部拡大して表示部１３に表示させることができるため、必要に応じて速やかに対応する複写機２の操作画面を表示させることができ、操作性がよい。また、不要な操作画面をアイコン化して、表示させることにより、操作画面の視認性を向上させることができる。
【０１０７】
また、リモート操作装置１に操作画面を表示させる複写機２の登録を行う場合、
自動でネットワークＮ上に接続されている複写機２を登録することができるため、ユーザは、登録に係る煩雑な操作を必要とせずに、容易に複数の複写機２を登録することができる。また、手動で任意の複写機２を設定して登録を行うこともできるため、複写機２の追加や削除を効率良く行うことができる。
【０１０８】
なお、上述した本実施の形態における記述は、本発明に係る好適なリモート操作装置の一例であり、これに限定されるものではない。例えば、本実施の形態において、優先モードとして、時間優先モード、異常優先モード、状態優先モードが設定され、時間帯、複写機２の異常発生、複写機２のアイドル継続時間等に基づいて、優先的に対応する複写機２の操作画面を表示させる構成としたが、優先モードはこれに限定されない。
【０１０９】
例えば、優先設定情報として、所定の時間幅（例えば、１分程度）をＲＡＭに記憶させ、所定の時間幅が経過する毎に、複数の操作画面を切り替えて、一部拡大画面に拡大して表示させる構成であっても良い。また、優先設定情報は、複写機２の優先順位をさらに含み、この優先順位に従って、所定の時間幅が経過する毎に、一部拡大画面に拡大して表示された操作画面を切り替えて表示させる構成であってもよい。
【０１１０】
さらに、複写機２は、使用状況（例えば、コピーカウンタ、利用時間等）を含む状態情報をリモート操作装置１に送信し、リモート操作装置１は、複写機２の使用状況に応じて、頻繁に使用する複写機２又は殆ど使用されない複写機２の操作画面を優先的に一部拡大させて表示させる構成であってもよい。
【０１１１】
或いは、優先設定情報として、複写機２の備える機能（例えば、カラー機能、スキャナ機能等）の優先順位をＲＡＭに記憶させ、複写機２備える機能に応じて、優先的に複写機２の操作画面を優先的に一部拡大させて表示させる構成であってもよい。
【０１１２】
また、本実施の形態においては、複数の複写機２に対応する操作画面が同一の構成である場合を例として説明を行ったが、これに限らず、複写機２の機種に応じて操作画面の構成が異なるときは、各複写機２の操作画面に対応する操作画面の構成を、表示部１３に表示させることが好ましい。
【０１１３】
また、本実施の形態においては、各優先モードにおいて、優先的に表示される複写機２の操作画面は、一部が拡大されて表示される構成として説明を行ったが、例えば、図１４に示す拡大画面１３４のように、表示部１３の全面に拡大して表示される構成であってもよい。
【０１１４】
或いは、本実施の形態においては、各優先モードにおいて、優先的に表示される複写機２の操作画面が１つである場合を例として説明を行ったが、一部が拡大して表示される操作画面の数はこれに限らず、複数の操作画面が同一の画面に表示される構成であってもよい。例えば、２台の複写機２に略同時にジャムが発生した場合、２台の複写機２に対応する操作画面をそれぞれ表示部１３に表示させる構成であってもよい。
【０１１５】
その他、本実施の形態におけるリモート操作システム１００における各構成要素の細部構成及び細部動作に関しては、本発明の趣旨を逸脱することのない範囲で適宜変更可能であることは勿論である。
【０１１６】
【発明の効果】
請求項１記載の発明によれば、通信ネットワークを介して接続される複数の画像形成装置を同一の画面においてリモート操作することができ、複数の画像形成装置毎に、操作画面を切り替える手間を必要とせずに、効率良く画像形成装置を管理することができる。
【０１１７】
請求項２記載の発明によれば、通信ネットワークを介して接続される複数の画像形成装置のリモート操作を行う場合、ユーザにより入力される操作指示又は画像形成装置の状態情報に基づいて、画像形成装置の操作画面を拡大して表示部に表示させることができるため、操作が必要となる画像形成装置を的確に認識することができる。また、拡大された操作画面において、必要な操作情報を速やかに入力して、画像形成装置をリモート操作することができる。
【０１１８】
請求項３記載の発明によれば、予め優先設定情報により、所定の時間帯毎に対応する画像形成装置を定義しておき、指定された時間帯に対応する画像形成装置の操作画面を優先して表示部に表示させることができる。このため、時間帯に応じて使用頻度が高くなる画像形成装置の操作画面を常に表示させておくことができ、効率良く画像形成装置をリモート操作することができる。
【０１１９】
請求項４記載の発明によれば、予め優先設定情報により、画像形成装置に発生する異常の種類を定義しておき、画像形成装置から送信される状態情報に基づいて、画像形成装置で発生した異常が、優先設定情報に定義されている異常と同一である場合、当該異常の発生した画像形成装置の操作画面を優先して表示部に表示させることができる。これにより、ユーザは、特定の異常が発生したことを速やかに認識することができ、迅速に発生したトラブルに対応することができる。
【０１２０】
請求項５記載の発明によれば、予め優先設定情報により、所定のアイドル状態の時間を設定し、画像形成装置から送信される状態情報に基づいて、所定のアイドル状態の時間を超えて、アイドル状態にある画像形成装置の操作画面を優先して表示部に表示させることができる。したがって、稼動可能な状態にある画像形成装置を的確に認識して、画像形成装置をリモート操作することができるため、画像形成装置の利用効率を向上させることができる。
【０１２１】
請求項６記載の発明によれば、所定の時間幅毎に順次切り替えて複数の画像形成装置の操作画面を表示させることができるため、リモート操作システム全体を一括して管理することができる。
【０１２２】
請求項７記載の発明によれば、ユーザの利用態様に応じて、画像形成装置に優先順位を設定して、対応する画像形成装置の操作画面を表示させることができる。
【０１２３】
請求項８記載の発明によれば、例えば、使用頻度の高い画像形成装置の操作画面を優先して表示させることにより、各画像形成装置の操作画面を切り替える頻度を減らして、効率良く画像形成装置のリモート操作を行うことができる。また、使用頻度の低い画像形成装置の操作画面を優先して表示させることにより、使用頻度の画像形成装置の待機時間を低減させて、システム全体を均一的に稼動させることができる。
【０１２４】
請求項９記載の発明によれば、表示部に操作画面が表示されていない画像形成装置をリモート操作する場合、表示部のアイコンを選択指示することにより、速やかに対応する画像形成装置の操作画面を表示させることができ、操作性が良い。また、不要な操作画面を表示させないことにより、操作画面の視認性を向上させることができる。
【０１２５】
請求項１０記載の発明によれば、請求項１から９に記載した発明の効果を備えるリモート操作装置と、そのリモート操作装置によりリモート操作される複数の画像形成装置とを備えるリモート操作システムを構築することができる。
【図面の簡単な説明】
【図１】本発明を適用した実施の形態におけるリモート操作システム１００のシステム構成及び各装置の内部構成を示すブロック図である。
【図２】ＣＰＵ１１により実行される手動接続登録処理を示すフローチャートである。
【図３】表示部１３に表示される接続登録画面の一例を示す図である。
【図４】ＣＰＵ１１により実行される自動接続登録処理を示すフローチャートである。
【図５】表示部１３に表示される自動登録指示画面の一例を示す図である。
【図６】ＣＰＵ１１により実行される優先モード設定処理を示すフローチャートである。
【図７】表示部１３に表示される優先モード設定画面の一例を示す図である。
【図８】表示部１３に表示される時間優先設定画面の一例を示す図である。
【図９】表示部１３に表示される異常優先設定画面の一例を示す図である。
【図１０】表示部１３に表示される状態優先設定画面の一例を示す図である。
【図１１】ＣＰＵ１１より実行される複写機２表示処理を示すフローチャートである。
【図１２】ＣＰＵ１１より実行される通常モード表示処理を示すフローチャートである。
【図１３】表示部１３に表示される平等画面の一例を示す図である。
【図１４】表示部１３に表示される拡大画面の一例を示す図である。
【図１５】表示部１３に表示されるアイコン画面の一例を示す図である。
【図１６】表示部１３に表示される一部拡大画面の一例を示す図である。
【図１７】ＣＰＵ１１より実行される時間優先モード表示処理を示すフローチャートである。
【図１８】ＣＰＵ１１より実行される異常優先モード表示処理を示すフローチャートである。
【図１９】ＣＰＵ１１より実行される状態優先モード表示処理を示すフローチャートである。
【符号の説明】
１    リモート操作装置
１１    ＣＰＵ
１２    入力部
１３    表示部
１４    通信部
１５    ＲＡＭ
１６    記憶部
１７    バス
２    複写機２
２１    ＣＰＵ
２２    入力部
２３    表示部
２４    通信部
２５    ＲＡＭ
２６    記憶部
２７    スキャナ部
２８    画像出力部
２９    状態検出部
Ｎ    ネットワーク
【図１】
2005018607.tif 000003
【図２】
2005018607.tif 000004
【図３】
2005018607.tif 000005
【図４】
2005018607.tif 000006
【図５】
2005018607.tif 000007
【図６】
2005018607.tif 000008
【図７】
2005018607.tif 000009
【図８】
2005018607.tif 000010
【図９】
2005018607.tif 000011
【図１０】
2005018607.tif 000012
【図１１】
2005018607.tif 000013
【図１２】
2005018607.tif 000014
【図１３】
2005018607.tif 000015
【図１４】
2005018607.tif 000016
【図１５】
2005018607.tif 000017
【図１６】
2005018607.tif 000018
【図１７】
2005018607.tif 000019
【図１８】
2005018607.tif 000020
【図１９】
2005018607.tif 000021